(57)【要約】【課題】電線を取り付ける際に電線が損傷するのを防ぐことができ、しかも、電線が抜け出すのを防ぐこと。【解決手段】本発明は、電線３が配索される部材の表面に形成される電線収容溝１の対向する溝側面５と、この溝側面からそれぞれ突出して設けられた少なくとも一組の突起７を備え、一組の突起は、突起相互間に形成される間隙が電線の外径よりも大きくなるように電線収容溝の延在方向に互いに位置をずらして設けられる。電線収容溝１の延在方向に投影した突起７の先端部同士がそれぞれ突起の突出方向に重なり合って形成され、突起７の先端部１５とその先端部と対向する溝側面５との間の距離が電線３の外径よりも大きくなるように形成され、電線収容溝の溝底９に対する突起の対向面の高さが電線の外径と同じかそれよりも大きく形成される。【選択図】図１
2014093801.tif 000002
【特許請求の範囲】
【請求項１】
電線が配索される部材の表面に形成される電線収容溝の対向する溝側面と、該溝側面からそれぞれ突出して設けられた少なくとも一組の突起とを備え、
前記一組の突起は、突起相互間に形成される間隙が前記電線の外径よりも大きくなるように前記電線収容溝の延在方向に互いに位置をずらして設けられ、前記電線収容溝の延在方向に投影した前記突起の先端部同士がそれぞれ突起の突出方向に重なり合って形成されるとともに、前記突起の先端部とその先端部と対向する溝側面との間の距離が前記電線の外径よりも大きくなるように形成されてなり、
前記電線収容溝の溝底に対する前記突起の対向面の高さが前記電線の外径と同じかそれよりも大きく形成されてなる電線保持構造。
【請求項２】
電線が配索される部材の表面の配索領域の両側に対向させて立設させた少なくとも一対の板状の脚部と、該一対の脚部の対向面にそれぞれ突出して設けられた一組の突起とを備え、
前記一組の突起は、突起相互間に形成される間隔が前記電線の外径よりも大きくなるように前記電線の配索方向に互いに位置をずらして設けられ、かつ、前記配索方向に投影した前記突起の先端部同士がそれぞれ突起の突出する方向に重なり合って形成されてなり、
前記部材の表面に対する前記突起の対向面の高さが前記電線の外径と同じかそれよりも大きく形成されてなる電線保持構造。
【発明の詳細な説明】
【技術分野】
【０００１】
本発明は、部材の表面に電線を保持する電線保持構造に関する。
【背景技術】
【０００２】
例えば、特許文献１には、複数の電池を直列に接続した電池モジュールを電気自動車やハイブリッドカーなどの電源として用いる技術が開示されている。この種の電池モジュールには、隣接する電池間の正極と負極を接続するバスバを複数保持する樹脂材料製のバッテリ接続プレートが取り付けられている。バッテリ接続プレートには、各電池の電極と接続された多数の電線や、電池モジュールの総電極と接続された高圧ケーブルなどが配索されている。
【０００３】
このように多数の電線や高圧ケーブルが配索されるバッテリ接続プレートには、電線をプレートに沿って所定の配索方向に保持するためにプレートの表面に電線収容溝が設けられている。この電線収容溝は、互いに対向する溝側面と、この溝側面から突出する少なくとも一組の突起を備えて形成される。一組の突起の先端同士の隙間（以下、適宜、突起間と略す。）は、電線を電線収容溝に挿入する際の挿入口となっており、電線の外径よりも小さく設定される。これによれば、突起間の挿入口に電線を押し込み、挿入することで、電線収容溝の溝底と溝側面及び一組の突起に囲まれた部分に電線を収容し、この電線を電線収容溝内に保持することができる。
【先行技術文献】
【特許文献】
【０００４】
【特許文献１】特開２００４−３６２９９７号公報
【発明の概要】
【発明が解決しようとする課題】
【０００５】
ところで、このような電線の保持構造において、例えば外径の異なる多数の電線を保持しようとする場合、電線の外径に起因するいくつかの問題が生じるおそれがある。すなわち、電線の外径が突起間の寸法と比べて相当大きい場合は、電線が突起間を通過（圧入）する際に、突起に押し付けられて損傷するおそれがある。また、このとき電線を無理に圧入すると、突起が損傷するおそれもある。これに対し、電線の外径が突起間の寸法よりも小さい場合は、電線が突起間を負荷なく通過するが、こうして収容された電線が再び突起間を通過して抜け出すおそれがある。
【０００６】
本発明は、電線を取り付ける際に電線が損傷するのを防ぎ、かつ、電線が抜け出すことのない電線保持構造を提供することを課題とする。
【課題を解決するための手段】
【０００７】
上記課題を解決するため、本発明の電線保持構造は、電線が配索される部材の表面に形成される電線収容溝の対向する溝側面と、この溝側面からそれぞれ突出して設けられた少なくとも一組の突起とを備え、一組の突起は、突起相互間に形成される間隙が電線の外径よりも大きくなるように電線収容溝の延在方向に互いに位置をずらして設けられ、電線収容溝の延在方向に投影した突起の先端部同士がそれぞれ突起の突出方向に重なり合って形成されるとともに、突起の先端部とその先端部と対向する溝側面との間の距離が電線の外径よりも大きくなるように形成されてなり、電線収容溝の溝底に対する突起の対向面の高さが電線の外径と同じかそれよりも大きく形成されてなることを特徴とする。
【０００８】
これによれば、電線収容溝に電線を収容する際に、電線を圧入することなく、突起の先端部とこれに対向する溝側面との隙間を介して電線を溝底と突起との隙間に収容することができるから、電線や突起の損傷を確実に防ぐことができる。また、電線収容溝の延在方向に投影した突起の先端部同士がそれぞれ突起の突出方向に重なり合って形成されるため、挿入された電線は、隣り合う突起の少なくとも一方に保持される。したがって、電線に何らかの外力が作用しても、電線が一対の突起から抜け出すことがない。
【０００９】
この場合において、電線の外径が異なる複数の電線を電線収容溝に収容するときには、突起の先端部とこれに対向する溝側面との隙間、及び、溝底に対する突起の対向面の高さを、それぞれ電線の最大外径と同じかそれよりも大きく設定することで、あらゆる電線を保持することが可能になる。
【００１０】
また、電線収容溝が設けられていない部材の表面に電線を配索する場合は、部材の表面から一対の脚部を立ち上げ、その脚部に一組の突起を設けるようにしてもよい。具体的には、電線が配索される部材の表面の配索領域の両側に対向させて立設させた少なくとも一対の板状の脚部と、この一対の脚部の対向面にそれぞれ突出して設けられた一組の突起とを備え、この一組の突起は、突起相互間に形成される間隔が電線の外径よりも大きくなるように電線の配索方向に互いに位置をずらして設けられ、かつ、配索方向に投影した突起の先端部同士がそれぞれ突起の突出する方向に重なり合って形成されてなり、部材の表面に対する突起の対向面の高さが電線の外径と同じかそれよりも大きく形成されてなることを特徴とする。
【００１１】
このように構成すれば、それぞれの突起の先端部と部材の表面との隙間から電線を収容することができるため、電線や突起を損傷することなく、部材の表面に沿って電線を配索することができる。また、電線の配索方向に投影した突起の先端部同士がそれぞれ突起の突出する方向に重なり合って形成されるため、電線に何らかの外力が作用したとしても、電線が一対の突起から抜け出すことがない。
【発明の効果】
【００１２】
本発明によれば、電線を取り付ける際に電線が損傷するのを防ぐことができ、しかも、電線が抜け出すのを防ぐことができる。
【図面の簡単な説明】
【００１３】
【図１】本発明を適用してなる第１の実施形態の電線保持構造を示す上面図である。
【図２】図１のＡ−Ａ矢視断面図である。
【図３】本発明を適用してなる第２の実施形態の電線保持構造を示す上面図である。
【図４】図３を電線の配索方向から見たときの側面図である。
【発明を実施するための形態】
【００１４】
以下、本発明を適用してなる電線保持構造について図面を参照して説明する。以下の実施形態では、電気自動車やハイブリッドカーなどの電源となる電池モジュールに取り付けられるバッテリ接続プレートを基材とし、その基材の表面に形成される電線保持構造について説明するが、本発明が適用される電線保持構造はバッテリ接続プレートに限られず、電線を配索する基材であれば、特に制限なく適用することができる。
【００１５】
（第１の実施形態）
以下、本発明を適用してなる第１の実施形態について図１，２を参照して具体的に説明する。
【００１６】
本実施形態の電線保持構造は、図１に示すように、基材の表面に形成される電線収容溝１に沿って電線３を配索するものである。この電線保持構造は、電線収容溝１の対向する溝側面５と、この対向する溝側面５からそれぞれ突出する少なくとも一組の板状の突起７を備えて構成される。電線収容溝１は、対向する溝側面５がそれぞれ溝底９に対して略垂直に立ち上がって形成される。
【００１７】
図１は、電線収容溝１の一部を示しているため、突起７を３個しか表していないが、実際は、電線収容溝３の延在方向に沿って複数組（合計が奇数個である場合を含む）の突起７が設けられている。本実施形態において、一組の突起７とは、電線収容溝１の延在方向（図１の上下方向）で互いに隣り合う２つの突起７を意味するが、以下の説明では、一組の突起７として突起７ａ，７ｂを例に説明する。
【００１８】
一組の突起７は、互いに対向する溝側面５からそれぞれ垂直に突出するとともに、電線収容溝１の延在方向に対して互いに位置をずらして設けられ、具体的には、互いに電線収容溝１の延在方向に電線３の外径よりも大きな間隔（図１のＬ１）をあけて設けられる。
【００１９】
一組の突起７は、電線収容溝１の延在方向に投影した突起７の先端部同士がそれぞれ突起７の突出方向（電線収容溝１の溝幅方向）で互いに重なり合って形成される。そして、この突出方向に重なり合う長さ（図１の幅Ｘ）は、電線３の外径よりも大きく設定されている。本実施形態では、３本の電線３の外径の合計よりも大きく設定されている。
【００２０】
各突起７は、互いに平行に延在する２本の板状の直状部材１１を１本の板状の連結部材１３で連結し、全体として上面視でＨ型に形成される。直状部材１１と連結部材１３は、同じ厚みに形成され、溝底９と平行な平面上に延在して設けられる。なお、突起７の形状は、本実施形態の形状に限定されるものではない。
【００２１】
図２に示すように、一組の突起７は、各突起７の先端１５とこの先端１５と対向する溝側面５との間の距離（図２のＬ２）が電線３の外径よりも大きくなるように、対向する溝側面５から突出する突起７の長さ（図２のＬ３）が設定される。突起７の先端１５とこれに対向する溝側面５との隙間は、電線３を保持する際の挿入口１７となっている。一方、電線収容溝１の溝底９に対する各突起７の対向面の高さ（図２のＬ４）は、電線３の外径よりも大きく設定される。この溝底９とこれに対向する突起７との隙間は、電線３を保持する電線保持スペース１９となっている。
【００２２】
次に、このようにして構成される電線保持構造に電線３を保持する動作について説明する。まず、電線３の一部を突起７ａの先端１５と溝側面５との隙間に形成される挿入口１７に沿って挿入し（図２の矢印）、続いて、この電線３を突起７ａの電線保持スペース１９に収容する。ここで、Ｌ２とＬ４はいずれも電線３の外径よりも大きく設定されているため、電線３を圧入することなく、電線保持スペース１９に収容することができる。
【００２３】
続いて、折り曲げた電線３を同じ手順で、突起７ｂの挿入口１７から挿入し、電線保持スペース１９に収容する。この作業を順次すべての突起７に対して行う。そして、この一連の作業を３本の電線３に対して行うことにより、図１に示すように、複数（３本）の電線３が電線保持スペース１９に収容される。
【００２４】
電線保持スペース１９に収容された３本の電線３は、突起７の先端部同士が互いに重なり合う幅Ｘの領域内に配列される。これにより、各電線３は、各突起７によって保持されるため、何らかの外力によって持ち上げられたとしても、電線保持スペース１９から抜け出すことがない。
【００２５】
また、外径が異なる複数の電線３２を収容する場合は、例えば、電線保持構造のＬ１〜Ｌ４を、収容される電線３の最大外径に合わせて設定、つまり、外径が最大の電線３が溝底と突起７との隙間に無理なく収容可能な大きさに設定することで、すべての電線３を傷付けることなく、電線保持スペース１９に収容することが可能になる。また、電線保持スペース１９に一旦収容された電線３は、複数の突起７に保持されているため、外径が小さくても電線保持スペース１９から抜け出すことがない。
【００２６】
以上述べたように、本実施形態では、一組の突起７を電線収容溝１の延在方向に互いに位置をずらして千鳥状に設けるとともに、電線収容溝１の延在方向に投影した突起７の先端部同士が互いに重なり合うよう形成することで、電線３の挿入部分（挿入口１７）と、電線３の保持部分（電線保持スペース１９）を分離させることができる。これにより、電線３に損傷を与えることなく、電線３を電線保持スペース１９に収容して電線収容溝１内に配索することができ、しかも、電線３が電線収容溝１から抜け出すのを確実に防ぐことができる。
【００２７】
加えて、本実施形態では、多数の電線３を電線保持スペース１９に配列して収容することができるから、電線保持スペース１９の高さ（Ｌ４）が制限されていても、多数の電線を収容して保持することができる。
【００２８】
（第２の実施形態）
次に、本発明を適用してなる第２の実施形態について図３，４を参照して具体的に説明する。ただ、本実施形態は基本的に第１の実施形態と同じであるため、本実施形態に特徴的な構成を中心に説明し、第１の実施形態と共通する構成については、同一の符号を付して説明を省略する。
【００２９】
本実施形態の電線保持構造は、電線収容溝を有していない点が、第１の実施形態と相違する。本実施形態の電線保持構造は、図３に示すように、基材２１の表面に沿って電線３を直接配索するものである。この電線保持構造は、少なくとも一対のロック２３を有して構成される。図３は、基材２１の表面の一部を示しているため、ロック２３を３個しか表していないが、実際は、電線３の配索領域に沿って複数組（合計が奇数個である場合を含む）のロック２３が設けられている。本実施形態において、一対のロック２３とは、電線３の配索方向（図３の上下方向）で互いに隣り合う２つのロック２３を意味するが、以下の説明では、一対のロック２３として、ロック２３ａ，２３ｂを例に説明する。
【００３０】
一対のロック２３は、基材２１の表面から立ち上がる一対の板状の脚部２５と、これらの脚部２５の対向面からそれぞれ垂直に突出する一組の突起２７を備えて構成される。一組の突起２７は、それぞれ平面視で略矩形に形成される。一対のロック２３は、電線３の配索方向からみると、全体として、略Ｌ字状に形成される。なお、脚部２５と突起２７の形状は、これらの形状に限定されるものではない。
【００３１】
一対の脚部２５は、電線３の配索領域の両側に対向させて立ち上げて設けられ、配索方向に沿って互いに位置をずらして設けられる。一組の突起２７は、一対の脚部２５から垂直に突出するため、脚部２５と同様、電線３の配索方向に沿って互いに位置をずらして設けられる。このときの突起２７間の間隔は、電線３の外径よりも大きな間隔（図３のＬ１）に設定されている。
【００３２】
一組の突起２７は、電線３の配索方向に投影した先端部同士がそれぞれ突起２７の突出方向（電線３の配索方向と直交する幅方向）で互いに重なり合って形成される。そして、この突出方向に重なり合う長さ（図３の幅Ｘ）は、電線３の外径よりも大きく設定されている。本実施形態では、３本の電線３の外径の合計よりも大きく設定されている。
【００３３】
一組の突起２７は、基材２１の表面と対向する面が基材２１の表面と平行に対向して形成され、この基材２１の表面との隙間（Ｌ４）は、電線３の外径よりも大きく設定されている。基材２１の表面とこれに対向する突起２７との隙間は、電線３を保持する電線保持スペース２９となっている。また、電線保持スペース２９の入口、つまり、各突起２７の先端３１と基材２１の表面との隙間は、電線３を保持する挿入口３３となっている。
【００３４】
次に、このようにして構成される電線保持構造に電線３を保持する動作について説明する。まず、電線３の一部をロック２３ａの先端３１と基材２１の表面との隙間に形成される挿入口３３に沿って挿入し、続いて、この電線３をロック２３ａの電線保持スペース２９に収容する。ここで、本実施形態は、第１の実施形態のように、各ロック２３ａの先端３１と対向する位置に、溝側面５が設けられていないから、挿入口３３のスペースを広く確保することができる。そして、電線保持スペース２９の高さＬ４は、電線３の外径よりも大きく設定されているため、電線３を圧入することなく、電線保持スペース２９に収容することができる。
【００３５】
続いて、第１の実施形態と同様に、電線３を折り曲げて、ロック２３ｂ、２３ｃの電線保持スペース２９に電線３を順次収容する。この作業をすべての電線３に対して行うことにより、図３，４に示すように、複数（３本）の電線３を電線保持スペース２９に収容することができる。電線保持スペース２９に収容された３本の電線３は、第１の実施形態と同様に、ロック２３の突起２７の先端部同士が互いに重なり合う幅Ｘの領域内に配列される。
【００３６】
本実施形態では、電線収容溝に有していないが、一対のロック２３を、電線３の配索方向に互いに位置をずらして千鳥状に設けるとともに、電線３の配索方向に投影したロック２３の突起２７の先端部同士が互いに重なり合うように形成することで、電線３の挿入部分（挿入口３３）と、電線３の保持部分（電線保持スペース２９）を分離させることができ、結果として、第１の実施形態と同様の効果を得ることができる。
【００３７】
以上、本発明の実施形態を図面により詳述してきたが、上記実施形態は本発明の例示にしか過ぎないものであり、本発明は上記実施形態の構成にのみ限定されるものではない。本発明の要旨を逸脱しない範囲の設計の変更等があっても、本発明に含まれることは勿論である。
【００３８】
例えば、上記の実施形態では、電線保持スペース１９，２９の高さが電線３の外径よりも大きく設定されている例を説明したが、電線３の外径と同じ高さに設定されていてもよい。このようにしても、電線３に大きな負担を与えることなく電線保持スペース１９，２９に複数の電線を保持することができる。
【００３９】
また、上記の実施形態では、突起７，２７がその突出方向で重なり合う長さ（幅Ｘ）は、いずれも電線３の外径よりも大きく設定される例を説明したが、突起が重なり合う部分が存在していれば、電線３を保持することができるため、重なり合う長さは、特に制限されるものではない。
【符号の説明】
【００４０】
１  電線収容溝
３  電線
５  溝側面
７，２７  突起
９  溝底
１５，３１  先端
１７，３３  挿入口
１９，２９  電線保持スペース
２１  基材
２３  ロック
２５  脚部
【図１】
2014093801.tif 000003
【図２】
2014093801.tif 000004
【図３】
2014093801.tif 000005
【図４】
2014093801.tif 000006